(57)【要約】【課題】キャビネット本体内の収納空間を最適な湿度に調整し維持することができる収納キャビネットの調湿構造を提供する。【解決手段】収納キャビネット１の調湿構造であって、前記収納キャビネットのキャビネット本体２内の奥方には、調湿パネル４が収納される調湿空間３が形成されており、該調湿空間には、前記キャビネット本体内の前記調湿空間前方に形成された収納空間２５と前記調湿空間とに連通する内方開口部３０と、前記調湿空間と前記キャビネット本体外とに連通する外方開口部３１とが設けられており、前記内方開口部及び外方開口部の開閉が自在に切換えられるよう構成されていることを特徴とする。【選択図】図１
2011000303.tif 000002
【特許請求の範囲】
【請求項１】
収納キャビネットの調湿構造であって、
前記収納キャビネットのキャビネット本体内の奥方には、調湿パネルが収容される調湿空間が形成されており、
該調湿空間には、前記キャビネット本体内の前記調湿空間前方に形成された収納空間と前記調湿空間とに連通する内方開口部と、前記調湿空間と前記キャビネット本体外とに連通する外方開口部とが設けられており、前記内方開口部及び外方開口部の開閉が自在に切換えられるよう構成されていることを特徴とする収納キャビネットの調湿構造。
【請求項２】
請求項１において、
前記調湿パネルは、前記調湿空間内に内装され、前記キャビネット本体の背板に沿うよう直立して設けられていることを特徴とする収納キャビネットの調湿構造。
【請求項３】
請求項１において、
前記調湿パネルは、前記キャビネット本体の背板の一部を構成し、前記調湿パネルの周囲に前記調湿空間が形成されていることを特徴とする収納キャビネットの調湿構造。
【請求項４】
請求項１〜請求項３のいずれか１項において、
前記収納空間本体内、前記キャビネット本体外、及び前記調湿空間には、湿度計が設けられていることを特徴とする収納キャビネットの調湿構造。
【請求項５】
請求項１〜請求項４のいずれか１項において、
前記キャビネット本体の前方には開口部が形成されており、
該開口部は扉で塞がれ、該扉によって前記開口部を閉じたときには、キャビネット本体内が密閉状態とされることを特徴とする収納キャビネットの調湿構造。
【発明の詳細な説明】
【技術分野】
【０００１】
本発明は、キャビネット本体内に調湿機能を備えた収納キャビネットの調湿構造に関する。
【背景技術】
【０００２】
従来より、玄関或いはキッチンなどに置かれた扉付きの収納キャビネットに、傘、靴、衣服、食器などの濡れたものや生乾きのものを収納すると、収納キャビネットのキャビネット本体内の湿度が上昇し、カビ発生の原因となることが問題となっている。またキャビネット本体内に結露が生じると、なかなか乾燥せずに、高湿度の状態がいつまでも続いてしまう。
そこで、キャビネット本体内に調湿パネルや除湿装置を設けた収納キャビネットがある。
【０００３】
しかしながら、キャビネット本体内に調湿パネルを設けた場合は、適宜扉を開けるなどして調湿パネルを乾燥させるなどして再生させないと、一定以上の水分を含んだ調湿パネルは吸湿が不可能になってしまう。そして調湿パネルが吸湿した湿気を放出する前に次の湿気の発生があると、調湿パネルが機能しないのでキャビネット本体内の湿度が上昇してしまい、カビの発生の原因となる。またこのように調湿パネルの再生ができないものの場合は、調湿パネルの吸湿機能が低下しやすく、調湿パネルを交換する頻度も多くなってしまう。
【０００４】
下記特許文献１には、キャビネット本体内に除湿装置を設けたものが開示されており、ここに記載の除湿装置は、吸湿剤が湿気を吸湿するとヒータによって吸湿剤を加熱し、吸湿剤の再生を図る再生機能を備えている点が記載されている。
また下記特許文献１には、ケーシング本体の一面に一対の第１の吸気口及び第１の排気口を備えるとともに、その面の隣接面に一対の第２の吸気口及び第２の排気口を備えた除湿装置が記載されている。
これによれば、一対の吸排気口を開閉する切換弁を備えているので、庫内に向いて開口している吸排気口を開状態とし、庫内空気を吸気して吸湿剤で湿気を吸湿した後、乾燥した空気を庫内に排気することができる。一方、吸湿後に吸湿剤を乾燥・再生させるときには、庫外に向いて開口している吸排気口を開状態とし、吸気した外気をヒータで加熱し、吸湿剤の乾燥・再生を行い、湿気を含んだ空気は排気口より庫外へ排気させることができる。よって、長期に亘って吸湿剤の交換の必要がない除湿装置とすることができる。
【先行技術文献】
【特許文献】
【０００５】
【特許文献１】実開平５−８５４２６号公報
【発明の概要】
【発明が解決しようとする課題】
【０００６】
しかしながら、このような除湿装置をキャビネット本体内（庫内）に取付けるには、いずれか一方の一対の吸排気口を外部（庫外）と連通する開口部と通じるように設置しなければならず、取付けに手間がかかる。またキャビネット本体の側板に除湿装置を取付ける場合は、側板から除湿装置が張り出して設けられるので、収納の邪魔になってしまう。
さらに上記特許文献１には、吸湿剤を加熱するヒータをタイマーを利用して間欠的にオンオフし、これに伴って吸排気口を開閉する切換弁を作動させることが記載されている。よってこの場合は、キャビネット本体内の湿度に関係なく所定時間が経過すれば切換弁が作動し吸排気口の開閉がなされることになる。
すなわち、タイマーの計時に基づいて吸排気口を開閉させる場合は、吸湿剤を乾燥させる必要がないのに、外部と連通する側が開状態となってしまうことがある。またキャビネット本体内の湿気を吸湿する必要があるのに、キャビネット本体内と連通する開口部が閉状態とされてしまう場合もあり、キャビネット本体内を最適な湿度に調整し維持することが難しい。
【０００７】
本発明は、上記実情に鑑みなされたものであり、キャビネット本体内の収納空間を最適な湿度に調整し維持することができる収納キャビネットの調湿構造を提供することを目的とする。
【課題を解決するための手段】
【０００８】
請求項１の発明に係る収納キャビネットの調湿構造は、前記収納キャビネットのキャビネット本体内の奥方には、調湿パネルが収容される調湿空間が形成されており、該調湿空間には、前記キャビネット本体内の前記調湿空間前方に形成された収納空間と前記調湿空間とに連通する内方開口部と、前記調湿空間と前記キャビネット本体外とに連通する外方開口部とが設けられており、前記内方開口部及び外方開口部の開閉が自在に切換えられるよう構成されていることを特徴とする。
【０００９】
本発明において、前記調湿パネルは、前記調湿空間内に内装され、前記キャビネット本体の背板に沿うよう直立して設けられているものとしてもよい。
【００１０】
また本発明において、前記調湿パネルは、前記キャビネット本体の背板の一部を構成し、前記調湿パネルの周囲に前記調湿空間が形成されているものとしてもよい。
【００１１】
さらに本発明において、前記収納空間内、前記キャビネット本体外、及び前記調湿空間には、湿度計が設けられているものとしてもよい。
【００１２】
そして本発明において、前記キャビネット本体の前方には開口部が形成されており、該開口部は扉で塞がれ、該扉によって前記開口部を閉じたときには、キャビネット本体内が密閉状態とされるものとしてもよい。
【発明の効果】
【００１３】
本発明に係る収納キャビネットの調湿構造によれば、前記収納キャビネットのキャビネット本体内の奥方に、調湿パネルが収容される調湿空間が形成されているので、収納空間の邪魔になることがない。
該調湿空間には、前記キャビネット本体内の前記調湿空間前方に形成された収納空間と前記調湿空間とに連通する内方開口部と、前記調湿空間と前記キャビネット本体外とに連通する外方開口部とが設けられており、前記内方開口部及び外方開口部の開閉が自在に切換えられるよう構成されている。
これによれば、例えばキャビネット本体内の収納空間の湿気を吸湿させたいときには、内方開口部を開放し外方開口部を閉じれば、調湿空間内に湿気が取り込まれ、調湿パネルによってその湿気を吸湿することができる。一方、キャビネット本体内の収納空間の湿気を吸湿した後は、内方開口部を閉じ外方開口部を開放すれば、調湿空間内に外気が取り込まれ、調湿パネルを乾燥させることができる。
よって調湿パネルが湿気を含みすぎて吸湿不能となることを防ぐことができ、調湿パネルの調湿性能を長く維持できるものでありながら、キャビネット本体内の収納空間を最適な湿度に調整し維持することができる。
【００１４】
本発明において調湿パネルは前記調湿空間内に内装され、前記キャビネット本体の背板に沿うよう直立して設けられているものとした場合は、調湿空間を大きくとることなく構成できる。よって、調湿空間の省スペース化を図ることができ、キャビネット本体内の収納空間を大きく確保できる。
【００１５】
本発明において調湿パネルはキャビネット本体の背板の一部を構成し、前記調湿パネルの周囲に前記調湿空間が形成されているものとした場合も、調湿空間を大きくとることなく構成できる。よって、調湿空間の省スペース化を図ることができ、キャビネット本体内の収納空間を大きく確保できる。
【００１６】
本発明において前記収納空間内、前記キャビネット本体外、及び前記調湿空間には、湿度計が設けられているものとした場合は、湿度計の測定結果に基づいて、内方開口部及び外方開口部の開閉を行うことができる。よって、より一層、キャビネット本体内の収納空間を最適な湿度に調整し維持することができる。
【００１７】
本発明においてキャビネット本体の前方は開口部が形成されており、該開口部は扉で塞がれ、該扉は密閉構造とした場合は、外部の湿度変化の影響を受けにくい構造とすることができる。よって、外部の湿度変化に影響されず、キャビネット本体内を最適な湿度に調整し維持することができる。
【図面の簡単な説明】
【００１８】
【図１】本発明に係る収納キャビネットの調湿構造における第１の実施形態を模式的に示す概略図であり、（ａ）は調湿空間の内方開口部を開とし外方開口部を閉とした場合を示した図、（ｂ）は調湿空間の内方開口部を閉とし外方開口部を開とした場合を示した図である。
【図２】同実施形態の収納キャビネットにおける各部（Ａ部〜Ｃ部）の湿度状況と調湿空間の内方開口部及び外方開口部の開閉状態の一例をまとめた表である。
【図３】同実施形態の変形例を模式的に示す概略図であり、（ａ）は調湿空間の内方開口部を開とし外方開口部を閉とした場合を示した図、（ｂ）は調湿空間の内方開口部を閉とし外方開口部を開とした場合を示した図である。
【図４】同実施形態のさらに別の変形例を模式的に示す概略図であり、（ａ）は調湿空間の内方開口部を開とし外方開口部を閉とした場合を示した図、（ｂ）は調湿空間の内方開口部を閉とし外方開口部を開とした場合を示した図である。
【図５】本発明に係る収納キャビネットの調湿構造における第２の実施形態を模式的に示す概略図であり、（ａ）は調湿空間の内方開口部を開とし外方開口部を閉とした場合を示した図、（ｂ）は調湿空間の内方開口部を閉とし外方開口部を開とした場合を示した図である。
【発明を実施するための形態】
【００１９】
以下に本発明の実施の形態について、図面に基づいて説明する。
なお、以下の実施形態において指す前後方向は、収納キャビネットの正面で対面した使用者を基準に手前側を前方、奥側を後方とし、その前後方向に直交する方向を左右方向として説明する。
【００２０】
（第１の実施形態）
本発明の第１の実施形態について図１〜図４を参照しながら説明する。
収納キャビネット１は、前方に開口部２４が形成された箱状のキャビネット本体２と、該キャビネット本体２内に形成され、調湿パネル４が収容される調湿空間３とを備えている。
キャビネット本体２の前方の開口部２４（図１の紙面左側）には、片側に設けられた蝶番などによって開閉自在に取付けられた扉１０が設けられており、この扉１０を閉じたときには、開口部２４が扉１０によって塞がれる。扉１０の開口部２４と接する面には、弾性材製のパッキン７が設けられ、扉１０を閉じたときには、開口部２４の周縁部との間に介在するパッキン７が弾性変形しその反力によって、キャビネット本体２内を密閉した状態とすることができる。なお、パッキン７は扉１０側ではなく開口部２４の周縁部に設けられたものとしてもよい。
【００２１】
収納キャビネット１のキャビネット本体２は、上部に配された上板２０、左右に配された側板２１と、背面側に配された背板２２と、底部に配された底板２３とを備えて構成される。
なお、底板２３の下部領域には台輪が設けられたものとしてもよい。
キャビネット本体２内の奥方（後方）には、収納空間２５と調湿空間３とを仕切る仕切板１１が設けられており、仕切板１１と背板２２との間に形成される空間が調湿空間３となる。
調湿パネル４は調湿空間３内に内装され、背板２２に沿うよう直立して設けられる。このとき調湿パネル４は、効率よく吸湿或いは放湿できるように、その前後に空間ができるように設けられる。
これによれば、薄型板状の調湿パネル４が背板２２に沿うよう直立して設けられており、収納空間２５側に迫り出すことなく、調湿空間３を構成することができるので、調湿空間３の省スペース化を図ることができ、キャビネット本体２内の収納空間２５を大きく確保できる。
調湿パネル４としては、珪藻土、シリカゲルなどを使用した吸湿性のあるボードが用いられる。
キャビネット本体２内の奥方に形成された調湿空間３を除く前方部分は、傘、靴、衣服、食器などの収納物６を収納する収納空間２５となっている。キャビネット本体２内の構成は、図例に限らず引出し或いは上下に空間を仕切る仕切板を備えたものとしてもよい。
【００２２】
仕切板１１の上方には、収納空間２５と調湿空間３とに連通する内方開口部３０が方形状に開口形成されており、内方開口部３０には、その開口を開閉する開閉板（不図示）が設けられている。この開閉板の開閉機構は特に限定されるものではないが、例えばルーバーなどとしてもよい。
背板２２の上方には、内方開口部３０と対面する位置に調湿空間３とキャビネット本体２外とに連通する外方開口部３１が方形状に開口形成されており、外方開口部３１には、その開口を開閉する開閉板（不図示）が設けられている。この開閉板の開閉機構も内方開口部３１と同様に特に限定されるものではなく、例えばルーバーなどとしてもよい。
【００２３】
内方開口部３０及び外方開口部３１に、網状体を取付けてもよく、これによれば、調湿空間３を含むキャビネット本体２内に虫や埃などが侵入するのを防ぐことができる。
調湿空間３も外気の影響を受けないよう密閉されていることが望ましく、隙間（仕切板１１とキャビネット本体２との間など）からキャビネット本体２内に空気が侵入する部分には、パテなどの充填材をコーキングするようにしてもよい。
【００２４】
収納空間２５内、キャビネット本体２外、及び調湿空間３には、湿度計５が設けられている。
以下では、収納空間２５内をＡ部、調湿空間３内をＢ部、キャビネット本体２外をＣ部として説明する。
なお、湿度計５が設けられる位置は、図例に限定されるものでないが、例えばＡ部の場合は、使用者が見やすく、収納物６を収納するのに邪魔にならない場所に設けられることが好ましい。
またＡ部、Ｂ部、Ｃ部の各部の湿度を使用者が収納キャビネット１外から一度に確認できるように、扉１０などに液晶パネルなどからなる表示部（不図示）を設けてもよい。特にＢ部については、湿度計５が調湿空間３内に設けられ、確認しにくいので、表示部を設けた場合は確認が容易となる。もちろん外方開口部３１を開状態としたときに、Ｂ部の湿度計５が確認できるようにしてもよい。
【００２５】
図１において、（ａ）は内方開口部３０を開、外方開口部３１を閉とした状態を示しており、収納空間２５の湿気吸湿過程、調湿過程を示している。
収納空間２５に濡れた収納物６が収納されたときには、収納物６から発生する湿気が内方開口部３０を通じて調湿空間３に流れ込み、調湿パネル４に吸湿されるよう内方開口部３０を開状態とする。内方開口部３０を通じて収納空間２５から調湿空間３に流れ込んだ湿気は、調湿パネル４によって吸湿される。そして調湿パネル４による吸湿により収納物６からの湿気の発生がほぼなくなっていき、収納空間２５を低湿度に導くことができる。またキャビネット本体２内は密閉構造となっているので、キャビネット本体２外の湿度が高くても、外気の影響を受けず低湿度の状態を維持することができる。
【００２６】
図１において、（ｂ）は内方開口部３０を閉、外方開口部３１を開とした状態を示しており、調湿パネル４の乾燥過程を示している。
調湿パネル４による吸湿がなされ、収納空間２５内の湿度が低湿度になったときには、内方開口部３０を閉とし、外気を取り込みまた湿気を放湿できるよう外方開口部３１を開とする。外方開口部３１を開状態とすれば、扉１０を開けなくても、外方開口部３１を通じて調湿空間３に流れ込んだ外気によって調湿パネル４が乾燥され、調湿パネル４に吸湿された水分は外方開口部３１を通じてキャビネット本体２外に放湿させることができる。
なお、図中、内方開口部３０及び外方開口部３１に記載された矢印は空気の流れを示している。
【００２７】
図１（ａ）或いは図１（ｂ）の状態とするタイミングは、使用者が各部（Ａ部〜Ｃ部）に設けられた湿度計５を確認しながら、手動で内方開口部３０及び外方開口部３１の開閉の切換えを行うようにしてもよいし、後記するようにタイマー部８０、開閉判別部８１に基づき制御される制御部８によって開閉を自動的に行うようにしてもよい。
【００２８】
続いて、図２を参照しながら、手動で内方開口部３０及び外方開口部３１の開閉の切換えを行う例を説明する。
各部の湿度計５を確認し、Ａ部の湿度が高くＢ部の湿度が低い場合は、Ｃ部の湿度が低くても高くても、内方開口部３０を開とし、外方開口部３１を閉としてＡ部、すなわち収納空間２５の吸湿及び調湿を行う（状態１、状態２）。
このときＣ部の湿気が低い場合は、外方開口部３１を開として、湿気をキャビネット本体２外へ放出させるようにしてもよい。
Ａ部及びＢ部の湿度がいずれも高く、Ｃ部の湿度が低い場合は、Ａ部及びＢ部の湿気を放出させる必要があるので、内方開口部３０及び外方開口部３１を開とする（状態３）。
【００２９】
Ａ部の湿度が低くＢ部の湿度が高い場合において、Ｃ部の湿度が低い場合は、調湿パネル４を乾燥させるために内方開口部３０は閉とし、外方開口部３１は開とする（状態４）。
Ａ部の湿度が低くＢ部の湿度が高く、Ｃ部の湿度が高い場合は、外方開口部３１は閉としておき、Ａ部及びＢ部が低湿度のまま維持できるようにする（状態５）。
Ａ部及びＢ部の湿度が低い場合は、Ｃ部の湿度が低くても高くても、キャビネット本体２外からの湿気が侵入しないよう内方開口部３０も外方開口部３１も閉とし、密閉状態とする（状態６、状態７）。
【００３０】
以上によれば、使用者が収納キャビネット１が載置されている場所や季節、土地柄、収容物６などに応じて湿度計を見ながら、適切に内方開口部３０及び外方開口部３１の開閉の切換えを行うことができる。また調湿パネル４が湿気を含みすぎて吸湿不能となることを防ぐことができ、調湿パネル４の調湿性能を長く維持できるものでありながら、収納空間２５内を最適な湿度に調整しそれを維持することができる。さらにこのように扉１０にパッキン７を設け、キャビネット本体２内を扉１０が閉まれば密閉される状態とすることができるものとすれば、外部の湿度変化の影響を受けにくい構造とすることができる。よって、外部の湿度変化に影響されず、より一層効果的に収納空間２５内を最適な湿度に調整し維持することができる。
【００３１】
なお、図２は開閉の切換えの一例であって、これに限定されるものではなく、もっと簡易な目安から開閉を行うようにしてもよい。例えば湿度状況をＡ部とＢ部の高低のみから判断し、内方開口部３０が開のときは外方開口部３１を閉、外方開口部３１が開のときは内方開口部３０を閉とする、といった切換えを行ってもよい。このような構成とする場合は、内方開口部３０及び外方開口部３１の開閉機構を連動させる機構を採用することができる。このとき、場合によっては、連動させる機構を解除できるものとすれば、使用者にとって使い勝手のよいものとすることができる。
【００３２】
次に図３を参照しながら、第１の実施形態の変形例について説明する。
上述の実施形態と共通する箇所には共通の符号を付し、共通する箇所の構成及び効果などの説明は省略する。
ここで説明する変形例は、キャビネット本体２内の奥方に調湿空間３を形成し、調湿パネル４を内装した点など、収納キャビネット１の基本構造については同じであるが、内方開口部３０及び外方開口部３１の開閉の切換えを制御部８による自動制御とした点で異なる。
【００３３】
収納キャビネット１は、内方開口部３０及び外方開口部３１の開閉の切換えのタイミングを計時するタイマー部８０と、タイマー部８０による計時時間に基づいて、内方開口部３０及び外方開口部３１の開閉の切換えを制御する制御部８を備えている。
これによれば、図２に示す状態１、状態４、状態１の一連の操作時間をタイマー部８０により設定し、内方開口部３０及び外方開口部３１の開閉の切換えを自動的に行うようにすることができる。
タイマー部８０のタイマー時間の設定は、収納物６や収納量、収納キャビネット１の設置場所、季節、土地柄、などによって自由に設定できるよう扉１０の外面に上述の表示部とともに、タイマー時間の設定やタイマー部８０のオンオフなどを操作できる操作部（不図示）を設けてもよい。
またＡ部〜Ｃ部に湿度計５が設けられているので、湿度計５による湿度状況を確認し記録しておくことにより、次回からのタイマー時間の設定の参考にすることもできる。
更に内方開口部３０及び外方開口部３１の開閉の切換えを自動制御するモードと、上述のように手動で切換えるモードとを選択設定できる構成としてもよい。
【００３４】
図３（ａ）及び（ｂ）を参照しながら、タイマー部８０による計時時間に基づいた制御の一例について説明する。
図３において、（ａ）は内方開口部３０を開、外方開口部３１を閉とした状態（状態１）を示しており、収納空間２５の湿気吸湿過程、調湿過程を示している。
使用者は、収納空間２５に濡れた収納物６が収納するときに、タイマー部８０による計時を開始させるため、タイマー部８０をオンとする。
このとき、使用者は各部の湿度計５を確認し、タイマー部８０の設定時間を設定できるようにしてもよい。例えば湿気を多く含んだ収納物６を収納するときや梅雨時期はタイマー部８０の設定時間を長くするなどである。
制御部８はタイマー部８０の起動を検知すると、設定時間が経過するまで内方開口部３０を開、外方開口部３１を閉とする。収納物６から発生する湿気が内方開口部３０を通じて調湿空間３に流れ込み、内方開口部３０を通じて収納空間２５から調湿空間３に流れ込んだ湿気は、調湿パネル４に吸湿される。そして調湿パネル４による吸湿により収納物６からの湿気の発生がほぼなくなっていき、収納空間２５を低湿度に導くことができる。またキャビネット本体２内は密閉構造となっているので、キャビネット本体２外の湿度が高くても、外気の影響を受けず低湿度の状態を維持することができる。
【００３５】
図３において、（ｂ）は内方開口部３０を閉、外方開口部３１を開とした状態（状態４）を示しており、調湿パネル４の乾燥過程を示している。
タイマー部８０が設定時間を計時し、その設定時間が経過すると調湿パネル４による吸湿がなされたとして制御部８は、内方開口部３０を閉、外方開口部３１を開とする。これにより、開状態となった外方開口部３１から取り込んだ外気によって調湿パネル４が乾燥され調湿パネル４に吸湿された水分は外方開口部３１を通じてキャビネット本体２外に放湿される。
以上によれば、内方開口部３０及び外方開口部３１の開閉の切換えが自動制御でなされるので、開閉の切換えタイミングを忘れてしまうなどの人為的なミスがなくなり、使用者にとって利便性がよいものとすることができる。
なお、図中、内方開口部３０及び外方開口部３１に記載された矢印は空気の流れを示している。また扉１０に開閉検知センサを設け、タイマー部８０を起動させるトリガとしてもよい。
【００３６】
次に図４を参照しながら、第１の実施形態のさらに別の変形例について説明する。
上述の実施形態と共通する箇所には共通の符号を付し、共通する箇所の構成及び効果などの説明は省略する。
ここで説明する変形例も、キャビネット本体２内の奥方に調湿空間３を形成し、調湿パネル４を内装した点など収納キャビネット１の基本構造については同じである。内方開口部３０及び外方開口部３１の開閉の切換えを制御部８による自動制御とした点は上述の変形例と同じであるが、タイマー部８０でなく、開閉判別部８１による判別結果に基づいて制御（湿度検知制御）する点で異なる。
【００３７】
収納キャビネット１は、Ａ部〜Ｃ部で測定された湿度計５による測定値を検知し、内方開口部３０及び外方開口部３１の開閉の切換えのタイミングを判断する開閉判別部８１と、開閉判別部８１による判別結果に基づいて、内方開口部３０及び外方開口部３１の開閉の切換えを制御する制御部８を備えている。
開閉判別部８１ではＡ部〜Ｃ部で測定された湿度計５による測定値から予め設定された閾値より高いか低いかを判別し、この結果に基づいて内方開口部３０及び外方開口部３１のいずれかを開閉すべきかを判別する。そして制御部８は開閉判別部８１からの判別結果に基づいて内方開口部３０及び外方開口部３１の開閉を制御する。開閉判別部８１による内方開口部３０及び外方開口部３１の開閉判別のプログラムは、例えば図２に示す例を条件として設定することができる。
【００３８】
またこの場合も内方開口部３０及び外方開口部３１の開閉の切換えを自動制御するモードと、手動で切換えるモードとを選択設定できる構成としてもよい。
以上によれば、内方開口部３０及び外方開口部３１の開閉の切換えが自動制御でなされるので、開閉の切換えタイミングを忘れてしまうなどの人為的なミスがなくなり、使用者にとって利便性がよいものとすることができる。また湿度計５による実測値に基づいて制御がなされるので、その時々の湿度状況に応じて適切なタイミングで内方開口部３０及び外方開口部３１の開閉の切換えがなされることになり、収納空間２５内を最適な湿度に調整し維持管理していくことができる。
【００３９】
（第２の実施形態）
本発明の第２の実施形態について図５を参照しながら説明する。
第１の実施形態と共通する箇所には共通の符号を付し、共通する箇所の構成及び効果などの説明は省略する。
第１の実施形態では、仕切板１１及び背板２２に開口を形成し、それらを内方開口部３０及び外方開口部３１としたが、内方開口部３０及び外方開口部３１の構成はこれに限定されるものではなく、以下に説明する第２の実施形態のようにしてもよい。
図５に示すように調湿パネル４を、背板２２の一部を構成するよう配置し、調湿パネル４の前面側及び後面側に配置され、調湿パネル４を挟んで前後方向に可動する内方蓋体１２及び外方蓋体１３で調湿パネル４を覆った構成とすることもできる。内方蓋体１２及び外方蓋体１３は、調湿パネル４を塞いでしまわないよう調湿パネル４の前面側及び後面側との間に少しスペースが形成されるよう設けられる。内方蓋体１２と外方蓋体３とは、個々に或いは連動して前後方向に可動するよう構成されている。
【００４０】
内方蓋体１２及び外方蓋体１３の構成は図例に限定されるものではなく、例えば、内方蓋体１２及び外方蓋体１３の大きさを背板２２の大きさと略同じ大きさにしたり、同色にすることによって、内方蓋体１２及び外方蓋体１３と背板２２との間に凹凸が気にならなくなり、背板２２と同一化するので、意匠性に優れたものとすることができる。
図中１４は、内方蓋体１２及び外方蓋体１３の間に介在し、調湿空間３を形成する仕切板であり、調湿パネル４の上下に設けられる。よって調湿空間３が閉じられた状態において調湿パネル４は内方蓋体１２、外方蓋体１３、及び仕切板１４で周囲が囲まれた状態となる。
【００４１】
図５（ａ）に示すように、前方に内方蓋体１２を動かすと、上下に設けられた仕切板１４と内方蓋体１２との間に隙間が生じ、そこが内方開口部３０となる。
一方、図５（ｂ）に示すように、後方に外方蓋体１３を動かすと、上下に設けられた仕切板１４と外方蓋体１３との間に隙間が生じ、そこが外方開口部３１となる。
なお、内方開口部３０及び外方開口部３１の開閉板の開閉機構は、一方が開状態の場合は他方を閉状態とする、といったように開閉板による開閉が連動するものとしてもよいし、連動を解除可能な機構としてもよい。
内方開口部３０及び外方開口部３１に、網状体を取り付けてもよく、これによれば、調湿空間３を含むキャビネット本体２内に虫や埃などが侵入するのを防ぐことができる。
調湿空間３の外気の影響を受けないよう密閉されていることが望ましく、仕切板１４と内方蓋体１２及び外方蓋体１３とが当接する部分にパッキン（不図示）を設けるようにしてもよい。
【００４２】
収納空間２５内、前記キャビネット本体２外、及び前記調湿空間３には、湿度計５が設けられている点は第１の実施形態と同様であり、この場合もＡ部、Ｂ部、Ｃ部の各部の湿度を使用者が収納キャビネット１外から一度に確認できるように、扉１０などに液晶パネルなどからなる表示部（不図示）を設けてもよい。
【００４３】
図５において、（ａ）は内方開口部３０を開、外方開口部３１を閉とした状態を示しており、収納空間２５の湿気吸湿過程、調湿過程を示している。
収納空間２５に濡れた収納物６が収納されたときには、収納物６から発生する湿気が内方開口部３０を通じて調湿空間３に流れ込み、調湿パネル４に吸湿されるよう内方蓋体１２を前方に動かして内方開口部３０を開状態とする。内方開口部３０を通じて収納空間２５から調湿空間３に流れ込んだ湿気は、調湿パネル４によって吸湿され、収納空間２５の湿度が高くなることを抑制する。そして調湿パネル４による吸湿により収納物６からの湿気の発生がほぼなくなっていき、収納空間２５を低湿度に導くことができる。低湿度になった後、外方蓋体１３と仕切板１４とが密閉状態で閉じた状態とされれば、キャビネット本体２外の湿度が高くても、低湿度の状態を維持することができる。
【００４４】
図５において、（ｂ）は内方開口部３０を閉、外方開口部３１を開とした状態を示しており、調湿パネル４の乾燥過程を示している。
調湿パネル４による吸湿がなされ、収納空間２５内の湿度が低湿度になったときには、内方蓋体１２を後方に動かして内方開口部３０を閉とし、外気を取り込みまた湿気を放湿できるよう外方蓋体１３を後方に動かして外方開口部３１を開状態とする。外方開口部３１を通じて調湿空間３に流れ込んだ外気によって調湿パネル４が乾燥され調湿パネル４に吸湿された水分は外方開口部３１を通じてキャビネット本体２外に放湿される。
なお、図中、内方開口部３０及び外方開口部３１に記載された矢印は空気の流れを示している。
【００４５】
図５（ａ）或いは図５（ｂ）の状態とするタイミングは、使用者が各部（Ａ部〜Ｃ部）に設けられた湿度計５を確認しながら、手動で内方開口部３０及び外方開口部３１の開閉の切換えを行うようにしてもよいし、上述したようにタイマ部８０（図３参照）、開閉判別部８１（図４参照）に基づき制御される制御部８によって開閉を自動的に行うようにしてもよい。
【００４６】
これによっても、調湿パネル４が湿気を含みすぎて吸湿不能となることを防ぐことができ、調湿パネル４の調湿性能を長く維持できるものでありながら、収納空間２５内を最適な湿度に調整し維持することができる。
また、調湿空間３を大きくとることなく構成できるので、調湿空間３の省スペース化を図ることができ、キャビネット本体２内の収納空間２５を大きく確保できる。
さらに調湿パネル４の外部側の全面を外気に当てやすいので乾燥させやすく、吸湿効率を向上させることができる。
【００４７】
なお、以上の実施形態では、単体の収納キャビネット１を例示したが、２個以上で構成されるシステムキャビネットにも適用可能である。
また収納キャビネット１、キャビネット本体２、収納空間２５、調湿空間３、内方開口部３０、外方開口部などの形状、大きさ、構成は図例に限定されるものではない。
さらに収納キャビネット１は置き設置タイプのものに限定されず、吊り施工タイプのものでもよい。
【符号の説明】
【００４８】
１      収納キャビネット
２      キャビネット本体
２４      開口部
２５      収納空間
３      調湿空間
３０      内方開口部
３１      外方開口部
４      調湿パネル
５      湿度計
１０      扉
【図１】
2011000303.tif 000003
【図２】
2011000303.tif 000004
【図３】
2011000303.tif 000005
【図４】
2011000303.tif 000006
【図５】
2011000303.tif 000007